(57)【要約】【課題】従来の機能を損なうことなく、よりコンパクト化を図れる情報記録再生装置を提供する。【解決手段】図１に示す方向（光磁気ディスクＤの情報記録面に直交する方向）に見たときに、光磁気ディスクＤを排出するためのモータ１２１と、情報の記録及び／又は再生のために光束を出射する光学ヘッド１１０が、情報記録及び／又は再生位置にある光磁気ディスクＤと重合するように配置されているので、ＭＯドライブ装置１００のサイズを従来よりコンパクトなものとできる。【選択図】    図１
2004348787.tif 000002
【特許請求の範囲】
【請求項１】
光磁気情報記録媒体に対して情報の記録及び／又は再生を行う情報記録再生装置であって、
光磁気情報記録媒体の情報記録面に直交する方向に見たときに、少なくとも光磁気情報記録媒体を排出するアクチュエータと、情報の記録及び／又は再生のために光束を出射する光学ヘッドとが、情報記録及び／又は再生位置にある光磁気情報記録媒体と重合するように配置されていることを特徴とする情報記録再生装置。
【請求項２】
光磁気情報記録媒体に対して情報の記録及び／又は再生を行う情報記録再生装置であって、
電気回路を実装した基板をフレームの一部として使用することを特徴とする情報記録再生装置。
【請求項３】
前記基板の対向する側縁から金属製の側板材を延在させ、さらに前記側板材を金属製の板材で架橋したことを特徴とする請求項２に記載の情報記録再生装置。
【請求項４】
光磁気情報記録媒体に対して情報の記録及び／又は再生を行う情報記録再生装置であって、
電気回路を実装した基板を覆い且つ外部に露出した金属製のケースが、前記基板の電気回路に接地されていることを特徴とする情報記録再生装置。
【請求項５】
前記金属製のケースに対する接地は、前記基板及び前記ケースの一方から他方へと延在する接片により行われることを特徴とする請求項４に記載の情報記録再生装置。
【発明の詳細な説明】
【０００１】
【発明の属する技術分野】
本発明は、情報記録再生装置に関し、特に光磁気情報記録媒体に対して情報の記録及び／又は再生を行える情報記録再生装置に関する。
【０００２】
【従来の技術】
光磁気情報記録媒体（いわゆるＭＯ）に情報を記録し、或いは記録された情報を再生するＭＯドライブ装置が知られている。かかるＭＯドライブ装置においては、光源から出射された光束をプリズム等で反射させて対物レンズに導き、そこから光磁気情報記録媒体の情報記録面に集光させ、その反射光を光検出器で受光することで、情報の記録又は再生を行うようになっている。
【０００３】
ここで、光磁気情報記録媒体を交換するために、情報の記録及び／又は再生が可能な位置から取り出し位置へと、光磁気情報記録媒体を移動させる排出機構が設けられている。この排出機構は、ソレノイドやモータ等のアクチュエータを駆動源としている（特許文献１参照）。
【特許文献１】
特開平５−１２７７９号公報
【０００４】
【発明が解決しようとする課題】
ところで、従来のＭＯドライブ装置においては、装置全体のサイズが光磁気情報記憶媒体の１．５倍程度の大きさとなっていた。かかるサイズは、光磁気情報記録媒体にレーザ光を照射する光源を含む光学ヘッド、及び排出機構のアクチュエータを、情報の記録及び／又は再生が可能な位置にある光磁気情報記録媒体と別な位置に設けるべく、それを収納するスペース確保のために必然的に得られたものである。しかるに、近年、よりコンパクトなパソコン周辺装置が望まれており、ＭＯドライブ装置をより小さくしたいという要求がある。
【０００５】
ところが、光学ヘッドやアクチュエータを、情報の記録及び／又は再生が可能な位置にある光磁気情報記録媒体と重合する位置に設けるとすると、ＭＯドライブ装置の厚さが増大するという問題がある。特に、ＭＯドライブ装置には、電気回路を実装した基板を囲うようにして、ノイズ対策のためのシールドを設けなくてはならず、加えて外装カバーをその外側に配置している。従って、これらを考慮すると、例えば厚さ方向に重合させるごとき比較的大きな部品の再配置を行うことは、困難であると考えられていた。
【０００６】
本発明は、かかる従来技術の問題点に鑑みてなされたものであり、従来の機能を損なうことなく、よりコンパクト化を図れる情報記録再生装置を提供することを目的とする。
【０００７】
【課題を解決するための手段】
請求項１に記載の情報記録再生装置は、光磁気情報記録媒体に対して情報の記録及び／又は再生を行う情報記録再生装置であって、光磁気情報記録媒体の情報記録面に直交する方向に見たときに、少なくとも光磁気情報記録媒体を排出するアクチュエータと、情報の記録及び／又は再生のために光束を出射する光学ヘッドとが、情報記録及び／又は再生位置にある光磁気情報記録媒体と重合（一部重合する場合を含む）するように配置されていることを特徴とするので、前記情報記録再生装置のサイズをよりコンパクトなものとできる。ただし、かかる構成を有しながら、前記情報記録再生装置の厚さ増大を抑制するためには、以下に述べる請求項２〜４の発明が有効となる。尚、本明細書中、光磁気情報記録媒体というときは、光磁気情報記録媒体の本体を収容しそれと一体的に情報記録再生装置に装填されるカートリッジも含めるものとする。
【０００８】
請求項２に記載の情報記録再生装置は、光磁気情報記録媒体に対して情報の記録及び／又は再生を行う情報記録再生装置であって、電気回路を実装した基板をフレームの一部として使用することを特徴とする。従来は、内部の電気回路等をを保護するためのフレームを、基板を取り巻く筐体状に形成していたが、本発明によれば、基板自体をフレームの一部とすることで、従来のものに比べて省スペースを図ることができる。
【０００９】
請求項３に記載の情報記録再生装置は、請求項２に記載の発明において、前記基板の対向する側縁から金属製の側板材を延在させ、さらに前記側板材を金属製の板材で架橋したことを特徴とする。上述したように基板をフレームの一部とすると、フレームの剛性が低くなる恐れがある、そこで、前記基板の対向する側縁から金属製の側板材を延在させ、さらに前記側板材を金属製の板材で架橋することで、剛性を確保できる。尚、かかる金属製の板材を前記情報記録再生装置のカバー部材として用いれば、その厚さを更に抑制できる。
【００１０】
請求項４に記載の情報記録再生装置は、光磁気情報記録媒体に対して情報の記録及び／又は再生を行う情報記録再生装置であって、電気回路を実装した基板を覆い且つ外部に露出した金属製のケースが、前記基板の電気回路に接地されていることを特徴とする。本発明は、従来、情報記録再生装置の樹脂カバーの内側に設けていたノイズ対策用のシールドを、かかるカバーとして用いることで、厚さの抑制を図るものである。従って、樹脂カバーを省略したことにより、前記情報記録再生装置を更に薄くすることができる。
【００１１】
請求項５に記載の情報記録再生装置は、請求項４に記載の発明において、前記金属製のケースに対する接地は、前記基板及び前記ケースの一方から他方へと延在する接片により行われることを特徴とするので、組付性にも優れる。
【００１２】
【発明の実施の形態】
以下、本発明の実施の形態について、図面を参照して説明する。図１は、本実施の形態にかかる情報記録再生装置であるＭＯドライブ装置の透視図である。
【００１３】
図１において、ＭＯドライブ装置１００におけるベース１０１の中央に、光磁気情報記録媒体である光磁気ディスクＤ（そのカートリッジの形状を点線で示す）を回転させるスピンドルモータ１０２が配置されている。ベース１０１の開口１０１ａ内に、光学ヘッド１１０が不図示のアクチュエータにより移動自在に配置されている。
【００１４】
光学ヘッド１１０内には、情報の記録及び／又は再生に用いる光束を照射する光学ヘッドである半導体レーザ１１１が配置されている。半導体レーザ１１１から射出された光束は、不図示の光学系を通過し対物レンズ１１２から、光磁気ディスクＤの情報記録面（紙面と平行）に向かって照射されるようになっている。
【００１５】
ＭＯドライブ装置１００は、情報の記録及び／又は再生位置（図１で点線で示す装填位置）から取り出し位置へと、光磁気ディスクＤを移動させる排出機構１２０を有している。排出機構１２０は、アクチュエータであるモータ１２１と、歯車列を含む動力伝達機構１２２と、偏心ピン１２３ａを形成した円盤１２３と、スピンドルモータブラケット１２４と、カム機構１２５と、ロックプレート１２６と、カートリッジストッパ１２７とを有している。
【００１６】
排出機構１２０の動作を説明する。図１において、光磁気ディスクＤが装填位置にある状態で、不図示のイジェクトスイッチが操作されると、モータ１２１に電力が供給され、モータ１２１の回転軸が回転する。その回転力は、動力伝達機構１２２を介して円盤１２３へと伝達される。ここで、円盤１２３が１８０度回転すると、偏心ピン１２３ａがスピンドルモータブラケット１２４を、図１で上方に押すこととなる。
【００１７】
スピンドルモータブラケット１２４が、図１で上方に押されると、カム機構１２５におけるカムに沿ってフォロワが移動することで、スピンドルモータブラケット１２４が、図１で紙面に垂直方向に移動し、それにより光磁気ディスクＤも紙面に垂直方向に移動する。
【００１８】
一方、円盤１２３が１８０度回転すると、偏心ピン１２３ａに対してバネにより付勢されていたロックプレート１２６も、図１で上方に追随して移動する。その後、円盤１２３が３６０度回転することで、ロックプレート１２６は元の位置に復帰するが、この際にカートリッジストッパ１２７が、光磁気ディスクＤのカートリッジから外れ、光磁気ディスクＤはバネの力で外方（図１で下方）へと移動する。以上で、光磁気ディスクＤの排出が完了する。
【００１９】
本実施の形態によれば、図１に示す方向（光磁気ディスクＤの情報記録面に直交する方向）に見たときに、光磁気ディスクＤを排出するためのモータ１２１と、情報の記録及び／又は再生のために光束を出射する光学ヘッド１１０が、情報記録及び／又は再生位置にある光磁気ディスクＤと重合するように配置されているので、ＭＯドライブ装置１００のサイズを従来よりコンパクトなものとできる。ただし、かかる構成を有しながら、ＭＯドライブ装置１００の厚さ（紙面に垂直方向の寸法）の増大を抑制するためには、以下に述べる構成が有効となる。
【００２０】
図２は、本実施の形態のＭＯドライブ装置の基板を分解した状態で示す図である。基板１３０上には、多数の電気回路１３１が実装されている。基板１３０の対向する側縁には、金属（鉄もしくはアルミが好ましい）製の側板部材１３２，１３３が、基板１３０に対して垂直方向に延在するように配置されている。側板部材１３２，１３３の上部は折れ曲がり、ここに、それぞれ２つずつねじ孔１３２ａ、１３３ａを形成している。
【００２１】
側板部材１３２，１３３の上部に架橋するようにして、金属（鉄もしくはアルミが好ましい）製の板材１３４が配置され、ねじ孔１３２ａ、１３３ａに螺合する小ねじ１３５により、側板部材１３２，１３３に対して取り付けられている。尚、基板１３０と板材１３４との間には、図１に示す構成が配置されており、図２ではそのベース１０１が見えている。
【００２２】
従来は、電気回路１３１、排出機構１２０及び光学ヘッド１１０などを保護するためのフレームを、基板１３０を取り巻く筐体状に形成していたが、本実施の形態ではこれを廃し、基板１３０と、側板部材１３２，１３３と、板材１３４とで、比較的剛性の高いボックス構造のフレームを構成し、すなわち基板１３０自体をフレームの一部として使用することで、従来のものに比べて省スペースを図ることができる。更に、本実施の形態では、かかる金属製の板材１３４をＭＯドライブ装置１００の外装カバーとして用いているので、全体の厚さをより抑制できる。
【００２３】
図２において、基板１３０の裏面には、板材１３４と同様な、金属（鉄もしくはアルミが好ましい）製の板材１３６が配置されている。図３は、基板１３０と板材１３６とを分解した状態で下面側から見た図である。
【００２４】
図３において、基板１３０の裏面には、下方に突出した薄板状の金属接片１３７が、基板１３０のグラウンドに電気的に接触した状態で取り付けられている。基板１３０を絶縁体１３８を介して板材１３６に組み込むと、金属接片１３７が板材１３６の表面に接触し、それにより板材１３６と基板１３０のグラウンドと電気的導通が達成され、すなわち板材１３６が接地されることとなる。これにより、板材１３６がシールドとなって、基板１３０から発生するノイズが外部に漏れ出ることが抑制される。又、基板１３０を板材１３６に組み込むだけでシールドが確立されるため、組付性も向上する。
【００２５】
以上、本発明を実施の形態を参照して説明してきたが、本発明は上記実施の形態に限定して解釈されるべきではなく、適宜変更・改良が可能であることはもちろんである。
【００２６】
【発明の効果】
本発明によれば、従来の機能を損なうことなく、よりコンパクト化を図れる情報記録再生装置を提供することができる。
【図面の簡単な説明】
【図１】本実施の形態にかかる情報記録再生装置であるＭＯドライブ装置の透視図である。
【図２】本実施の形態のＭＯドライブ装置の基板を分解した状態で示す図である。
【図３】基板１３０と板材１３６とを分解した状態で下面側から見た図である。
【符号の説明】
１００  ＭＯドライブ装置
１１０  光学ヘッド
１１１  半導体レーザ
１２０  排出機構
１３０  基板
１３２，１３３  側板部材
１３４，１３６  金属製の板材
１３７  接片
【図１】
2004348787.tif 000003
【図２】
2004348787.tif 000004
【図３】
2004348787.tif 000005